【事件の表示】
　特願２０００−１９８９７１「蓄圧式噴霧器」拒絶査定不服審判事件〔平成１４年　１月１５日出願公開、特開２００２−　１１３８９〕について、次のとおり審決する。
【結　論】
　本件審判の請求は、成り立たない。
【理　由】
１．手続の経緯、本願発明
　本願は、平成１２年６月３０日の出願であって、平成１８年４月２０日付けで拒絶理由が通知され、平成１８年６月２１日付けで意見書及び手続補正書が提出され、平成１８年１２月２１日付けで拒絶査定がされ、平成１９年２月１５日に拒絶査定に対する審判請求がなされたものであって、その請求項１及び２に係る発明は、平成１８年６月２１日付けの手続補正書及び出願当初の図面の記載からみて、その明細書の特許請求の範囲の請求項１及び２に記載された事項によって特定されるとおりのものであるところ、その請求項１に係る発明（以下、「本願発明」という。）は以下のとおりである。
　「【請求項１】　内容物を充てんする容器の開口部分で、中空ステムの押圧動作とこれに続く復帰動作の繰り返しにてバルブを開閉させることによって、内容物を交互に吸引、加圧してノズルチップより噴霧する蓄圧式噴霧器であって、
　前記蓄圧式噴霧器は、容器内の内容物を吸引する吸引口を有するシリンダと、該シリンダの吸引口にて一方向のみの流通を許容するチェック弁と、該シリンダの開口端より挿入され吸引口に向けてスライド可能な中空ステムと、この中空ステムの先端部分で嵌合し、かつ、シリンダの内壁面との間で液密状態を維持したまま中空ステムとともに往復移動可能なピストンと、中空ステムの復帰動作を導き初期状態を保持する復原用弾性部材からなり、
　該ピストンに、吸引口よりシリンダ内に導入された内容物を中空ステムの貫通孔に流出させる通路を設け、
　この通路に、圧力調整用弾性部材にて保持され、内容物の加圧によって該通路を開とするバルブを配置してなり、
　該バルブは、中空ステムの最大押圧位置でチェック弁に当接して吸引口を確実に封印するステムを有する、ことを特徴とする蓄圧式噴霧器。」
　                            
２．引用文献記載の発明       
（１）引用文献１
　原査定の拒絶の理由に引用された実願昭４９−８９７９８号（実開昭５１−１７８１２号）のマイクロフィルム（以下、「引用文献１」という。）には、例えば、次の事項が記載されている。
　
ア．「下端へ吸上げ管４を嵌合させたシリンダ１の底部へ第１逆止弁３を設けると共に該シリンダ内へは上端部に噴霧ヘッド７を付設させた流路管９の下端部に形成された筒状ピストン８を上向きに付勢させて挿入させ、筒状ピストン８から噴霧ヘッドのノズル孔１０にいたる流路途中に液体流出方向と逆向きに付勢させて第２逆止弁１１を形成させたことを特徴とする手動式小型噴霧器。」（明細書第１頁第４行乃至同第１１行）
　
イ．「本案は手動式の小型噴霧器に係る。
　従来いわゆるエアゾール式の小型噴霧器が多用されているが、高価であること、又使用済後にあつても液体霧化用のガスが残存するため危険であること等の理由により再び手動式噴霧器が注目されている。
　しかし手動式の場合は噴霧に際しての液圧を常に高くすることが困難であり、特に噴霧の始めと終りに液圧が低くなり、このため霧化不完全のまま、つまり水滴状態での排出となり易い。」（明細書第１頁第１３行乃至同第２頁第２行）
　
ウ．「１は口部に外向きフランジ２を有するシリンダで、その内底部には第１逆止弁３を有する、該シリンダ端部には他端が容器体底部に達する長さとした吸上げ管４を嵌合させる。第１逆止弁のやゝ上方内面には後述の流路管押上げ用のコイルスプリング５用の載置段部６を設けておく。その上部へは流路形成子としての突部１ａを設けるとよい。尚１ｂは容器体内の負圧化防止用孔である。
　シリンダ１内へは、上端部に噴霧ヘッド７を付設させ、又下端部に筒状ピストン８を付設させた流路管９下端部を挿入させる。その挿入部たる筒状ピストン８はコイルスプリング５によつて上向きに付勢させる。筒状ピストン８から噴霧ヘッドのノズル孔１０にいたる流路途中において液体流出方向とは逆向きに付勢させて第２逆止弁１１を設ける。第１図実施例のように流路管下端と筒状ピストン８との間に設けてもよく、又第２図のように流路管上端と噴霧ヘッド７との間に設けてもよい。尚１１ａは溝である。弁体１２の形状も図示例に限るものではなく、上記付勢に適するものであればその他どのようなものであつてもよい。１３は弁体１２付勢用のスプリングである。」（明細書第２頁第８行乃至同第３頁第９行、なお、明細書では漢字「尚」のしょうがしらは、「小」と表記されている。）
　　
エ．「上記構成において噴霧ヘッド７を押下げすると筒状ピストン８の下降によつてシリンダ１内が加圧され、該圧力が弁体１２に対するスプリング１３の付勢力を超えたとき、第２逆止弁１１が開いてシリンダ内の加圧液体はノズル孔１０から噴出する。シリンダ下部内面へ突部１ａを設けた場合は筒状ピストン８が下限近くまで下降したときピストン下部周壁が突部１ａ上へ乗り上げ、その突部両側へ隙間が形成されてシリンダ室内の高圧状態は解消される。尚凸部１ａは縦溝に代えても同様となる。すると第２逆止弁１１は閉じ、噴霧ヘッドを離すとコイルスプリング５の押上げ力で筒状ピストンは上昇し、該上昇によるシリンダ室内の負圧化により第１逆止弁３が開いて容器体内液体が流入する。」（明細書第３頁第１０行乃至同第４頁第３行）
　
オ．「第１図は、本案噴霧器の要部を示す断面図、第２図は他実施例の要部を示す断面図である。」（明細書第４頁第１３行乃至同第１４行）
　
（２）ここで、上記ア．〜オ．の記載及び図面を参酌すると、引用文献１には以下の点が記載されていることが分かる。
　図面及び上記オ．の記載から、噴霧器の要部は容器体の開口部分に設けられていることは明らかである。この開口部分で、噴霧ヘッド７を付設させた流路管９の押圧動作とこれに続くコイルスプリング５の押し上げ力で筒状ピストン８は上昇し、上昇による負圧によって容器体内液体は吸引されており、筒状ピストン８の下降によつてシリンダ１内が加圧され、圧力が弁体１２に対するスプリング１３の付勢力を超えたとき、第２逆止弁１１が開いてシリンダ１内の加圧液体はノズル孔１０から噴出することから、流路管９の押圧動作とこれに続く復帰動作の繰り返しにて第２逆止弁１１を開閉させることによって、容器体内液体を交互に吸引、加圧してノズル孔１０より噴霧する手動式小型噴霧器である。
　吸上げ管４からの容器体内液体は、シリンダ１、筒状ピストン８及び流路管９を通ってノズル１０で噴霧されることから、各部材には流路あるいは孔が形成されていることは明らかであり（以下、シリンダ１の内底部の孔を「流路Ａ」と、筒状ピストン８の流路を「流路Ｂ」と、流路管９の流路を「流路Ｃ」という。）、容器体内の容器体内液体を吸引する流路Ａを有するシリンダ１と、シリンダ１の流路Ａにて一方向のみの流通を許容する第１逆止弁３と、筒状ピストン８に、流路Ａよりシリンダ１内に導入された容器体内液体を流路管９の流路Ｃに流出させる流路Ｂを設け、この流路Ｂに、スプリング１３にて保持され、容器体内液体の加圧によって該流路Ｂを開とする第２逆止弁１１を配置している。
　シリンダ１の口部より挿入され流路Ａに向けてスライド可能な流路管９と、この流路管９の下端部を挿入させ、流路管９とともに往復移動可能な筒状ピストン８と、流路管９を復帰させるコイルスプリング５からなることから、筒状ピストン８は流路管９の先端部分で嵌合し、かつ、シリンダ１の内壁面との間で液密状態を維持したまま流路管９とともに往復移動可能であり、コイルスプリング５は、流路管９の復帰動作を導き初期状態を保持している。
　
（３）引用文献１記載の発明
　上記２．（１）及び（２）の記載から、引用文献１には次の発明が記載されているといえる（以下、「引用文献１記載の発明」という。）。
　　
「容器体内液体を充てんする容器体の開口部分で、流路管９の押圧動作とこれに続く復帰動作の繰り返しにて第２逆止弁１１を開閉させることによって、容器体内液体を交互に吸引、加圧してノズル孔１０より噴霧する手動式小型噴霧器であって、
　前記手動式小型噴霧器は、容器体内の容器体内液体を吸引する流路Ａを有するシリンダ１と、該シリンダ１の流路Ａにて一方向のみの流通を許容する第１逆止弁３と、該シリンダ１の口部より挿入され流路Ａに向けてスライド可能な流路管９と、この流路管９の先端部分で嵌合し、かつ、シリンダ１の内壁面との間で液密状態を維持したまま流路管９とともに往復移動可能な筒状ピストン８と、流路管９の復帰動作を導き初期状態を保持するコイルスプリング５からなり、
　該筒状ピストン８に、流路Ａよりシリンダ１内に導入された容器体内液体を流路管９の流路Ｃに流出させる流路Ｂを設け、
　この流路Ｂに、スプリング１３にて保持され、容器体内液体の加圧によって該流路Ｂを開とする第２逆止弁１１を配置してなる手動式小型噴霧器。」
　
（４）引用文献２
  原査定の拒絶の理由に引用された特公昭４２−７４２８号公報（以下、「引用文献２」という。）には、例えば、次の事項が記載されている。
　　
ア．「本発明は手動式噴霧器、特に該噴霧器のポンプ装置に関する。」（公報第１頁左欄第２４行乃至同第２５行）
　　
イ．「噴霧器ポンプ装置は一体として容器に取付けできる。びんのねじ付き頸部（図示せず）に取付けできるようになつたキヤツプ１１を図面に示す。このキヤツプ１１はびんのねじと係合できる内部ねじのある部品１２，１３を有する。
　前記キヤツプ１１は孔のあいた上壁１４を有し、この壁１４の下にびんの唇部と係合するようにシール１５が配置されている。垂下状フランジ１６が壁１４の中央孔をとりまきかつシリンダ４２を支持している。このシリンダ４２は重力調整方式弁４３を支持した小径の下部弁部分４２ａを有する。弁座４３ａを有する前記弁部分４２ａによつてサイホン管４２ｂが支持されている。
　ピストン４１の管状シヤンク部４０によつて支持される管状体３９がポンププランジヤを形成する。前記ピストン４１はシリンダ４２の中を摺動し、上昇した非作動位置から、該ピストン４１がシリンダ４２の下部に降下した位置まで移動する。
　ピストン復帰スプリング４０ａは通常前記ピストン４１を図示の上昇位置に可撓的に保持しており、前記スプリング４０ａの底端部は前記シリンダの肩部４２ｃと係合している。
　ノズル３９ｂを持つた噴霧頭３９ａが前記プランジヤ３９に取付けられている。前記頭３９ａとノズル３９ｂはピストンシヤンク部４０の孔と連通して液体を入れる排出通路を有する。
　前記シヤンク部４０の上端にある弁座と係合する弁４５は前記シヤンク部４０と噴霧頭３９ａを通つて出る排出流動を調整する。
　ピストン４１が下部位置に下降したとき前記シリンダの下部にある接衝物例えば球弁４３と係合する接衝板４６ａに対し弁４５がロツト４６によつて連結されている。ロツト４６が移動することによつて球弁４３が接衝板４６ａと係合すれば弁４５がその弁座から外れて液体はこの弁４５を通つて上昇できる。またスプリング４０ａが図示の位置において前記接衝板４６ａと係合し、かくしてピストン４１が上昇されると弁４５を閉さ位置に保持する。」（公報第１頁左欄第３１行乃至同右欄第２９行）
　　　
ウ．「本発明はシリンダに設けられた側部通気孔４４に関係がある。この通気孔４４はピストン４１が図示の上昇位置にあるときこのピストンによつて閉さされている。ピストン４１が下降するとき前記孔４４が開かれる。またピストン４１が下降位置にあるとき前記プランジヤ３９とシリンダ４２の上部側壁との間に隙間ができる。前記通気４４とピストン４１とが通気弁装置を形成する。
　前記ピストン４１が下降しているとき空気はプランジヤ３９をすぎ孔４４を通りびんの中に入る。この空気は、前記ピストンの作用によつてびんからから排出される液体にとつて代り前記びんの中に真空ができるのを防止する。
　前記ピストン４１が通常の上昇位置にあるとき孔４４はふさぎびんから液体が漏れるのを防止する。ピストンがシリンダに摺動嵌合しておりさらに孔４４がピストンと協同作用するので漏洩防止だけでなくびんに必要な空気を入れる簡単にして効果的な作動確実な通気弁を構成することになる。」（公報第１頁右欄第３２行乃至同第２頁左欄第７行）
　
エ．「噴霧頭部３９ａが押し下げられるとピストン４１が下降する。接衝板４６ａが球弁４３に係合するまでロツド４６が下降し、さらにそれ以上ロツド４６は移動できず、かつ弁４５はその弁座ににくつついておることができずにはなれる。しかし、球弁４３は閉さしたままである。シリンダ４２の中の流体または液体はピストン４１とシヤンク４０を通り噴霧頭３９ａとノズル３９ｂから出て行く。通気孔４４はピストン４１によつて開かれかつ大気中の空気がびんに入り液体にとつて代り真空の発生をなくす。
　噴霧頭３９ａから力が除かれるとスプリング４０が前記頭とピストン４１を上昇させ、かつ弁４５が上昇行程時に閉さしシリンダの中に吸込作用を生ずる。弁４３が開き液体が管４２ｂとびんから前記シリンダの中に吸い込まれて次の下降行程時に排出する準備ができる。
　スプリング４０ａが板４６と係合することによつて前記頭３９ａが上昇位置にあるとき弁４５は閉さされたままでありかつ通気孔４４がピストン４１によつて閉さされるのでびんからの漏洩が防止される。」（公報第２頁左欄第８行乃至同右欄第１行）
　
（５）ここで、上記ア．〜エ．の記載及び図面を参酌すると、引用文献２には以下の点が記載されていることが分かる。
  液体を充てんするびんのねじ付き頸部で、プランジヤ３９の押圧動作とこれに続く復帰動作の繰り返しにて弁４５を開閉させることによって、液体を交互に吸引、加圧してノズル孔１０より噴霧する手動式噴霧器である。
　手動式噴霧器は、びん内の液体を吸引する小径の下部弁部分４２ａを有するシリンダ４２と、該シリンダ４２の小径の下部弁部分４２ａにて一方向のみの流通を許容する球弁４３と、該シリンダ４２の小径の下部弁部分４２ａに向けてスライド可能なプランジヤ３９と、このプランジヤ３９と嵌合し、かつ、シリンダ４２の内壁面との間で液密状態を維持したままプランジヤ３９とともに往復移動可能なピストン４１と、プランジヤ３９の復帰動作を導き初期状態を保持するピストン復帰スプリング４０ａから構成されている。
　液体はピストンシャンク部４０の孔、プランジヤ３９及び噴霧頭３９ａを通りノズル３９ｂから出ていくことから、プランジヤ３９には液体が通過する孔（以下、「通孔Ｄ」という。）があり、ピストン４１に、小径の下部弁部分４２ａよりシリンダ４２に導入された液体をプランジヤ３９の通孔Ｄに流出させるピストンシヤンク部４０の孔が設けられている。
　このピストンシヤンク部４０の孔に、弁４５を配置してなり、球弁４３に係合するまでロツド４６が下降して、球弁４３を閉ざしたままとしていることから、該弁４５は、プランジヤ３９の押圧で球弁４３に当接して小径の下部弁部分４２ａを確実に封印するロツド４６を有している。
　　
（６）引用文献２記載の発明
　上記２．（４）及び（５）の記載から、引用文献２には次の発明が記載されているといえる（以下、「引用文献２記載の発明」という。）。
　　
「液体を充てんするびんのねじ付き頸部で、プランジヤ３９の押圧動作とこれに続く復帰動作の繰り返しにて弁４５を開閉させることによって、液体を交互に吸引、加圧してノズル３９ｂより噴霧する手動式噴霧器であって、
　前記手動式噴霧器は、びん内の液体を吸引する小径の下部弁部分４２ａを有するシリンダ４２と、該シリンダ４２の小径の下部弁部分４２ａにて一方向のみの流通を許容する球弁４３と、該シリンダ４２の小径の下部弁部分４２ａに向けてスライド可能なプランジヤ３９と、このプランジヤ３９の先端部分で嵌合し、かつ、シリンダ４２の内壁面との間で液密状態を維持したままプランジヤ３９とともに往復移動可能なピストン４１と、プランジヤ３９の復帰動作を導き初期状態を保持するピストン復帰スプリング４０ａからなり、　該ピストン４１に、小径の下部弁部分４２ａよりシリンダ４２に導入された液体をプランジヤ３９の通孔Ｄに流出させるピストンシヤンク部４０の孔を設け、
　このピストンシャンク部４０の孔に、弁４５を配置してなり、
　該弁４５は、プランジャ３９の押圧で球弁４３に当接して小径の下部弁部分４２ａを確実に封印するロツド４６を有する手動式噴霧器。」
　
３．対比
　本願発明と引用文献１記載の発明とを対比すると、引用文献１記載の発明における「容器体」は、本願発明における「容器」に相当し、同様に引用文献記載の発明における、「容器体内液体」、「流路管９」、「ノズル孔１０」、「手動式小型噴霧器」、「流路Ａ」、「シリンダ１」、「シリンダ１の口部」、「第１逆止弁３」、「筒状ピストン８」、「流路Ｃ」、「流路Ｂ」、「コイルスプリング５」、「スプリング１３」及び「第２逆止弁１１」は、本願発明における「内容物」、「中空ステム」、「ノズルチップ」、「蓄圧式噴霧器」、「吸引口」、「シリンダ」、「シリンダの開口端」、「チエック弁」、「ピストン」、「貫通孔」、「通路」、「復原用弾性部材」、「圧力調整用弾性部材」及び「バルブ」に各々相当する。よって、
　本願発明と引用文献１記載の発明とは「内容物を充てんする容器の開口部分で、中空ステムの押圧動作とこれに続く復帰動作の繰り返しにてバルブを開閉させることによって、内容物を交互に吸引、加圧してノズルチップより噴霧する蓄圧式噴霧器であって、
　前記蓄圧式噴霧器は、容器内の内容物を吸引する吸引口を有するシリンダと、該シリンダの吸引口にて一方向のみの流通を許容するチェック弁と、該シリンダの開口端より挿入され吸引口に向けてスライド可能な中空ステムと、この中空ステムの先端部分で嵌合し、かつ、シリンダの内壁面との間で液密状態を維持したまま中空ステムとともに往復移動可能なピストンと、中空ステムの復帰動作を導き初期状態を保持する復原用弾性部材からなり、
　該ピストンに、吸引口よりシリンダ内に導入された内容物を中空ステムの貫通孔に流出させる通路を設け、
　この通路に、圧力調整用弾性部材にて保持され、内容物の加圧によって該通路を開とするバルブを配置してなる蓄圧式噴霧器。」の点で一致し、以下の点で相違する。
　（相違点）
　本願発明においては、バルブは、中空ステムの最大押圧位置でチェック弁に当接して吸引口を確実に封印するステムを有しているのに対して、引用文献１記載の発明においてはそのように特定されていない点。
　　                 　　
４．判断
　上記相違点について、検討する。
　本願発明と引用文献２記載の発明とを対比すると、引用文献２記載の発明における「ねじ付き頸部」は、本願発明における「開口部分」に相当し、同様に引用文献２記載の発明における「液体」、「プランジヤ３９」、「ノズル３９ｂ」、「手動式噴霧器」、「小径の下部弁部分４２ａ」、「シリンダ４２」、「球弁４３」、「ピストン４１」、「ピストン復帰スプリング４０ａ」、「通孔Ｄ」、「ピストンシャンク部４０の孔」、「弁４５」及び「ロツド４６」は、本願発明における「内容物」、「中空ステム」、「ノズルチップ」、「蓄圧式噴霧器」、「吸引口」、「シリンダ」、「チエック弁」、「ピストン」、「復原用弾性部材」、「貫通孔」、「通路」、「バルブ」及び「ステム」に各々相当する。よって、引用文献２には、本願と同様の「内容物を充てんする容器の開口部分で、中空ステムの押圧動作とこれに続く復帰動作の繰り返しにてバルブを開閉させることによって、内容物を交互に吸引、加圧してノズルチップより噴霧する蓄圧式噴霧器であって、
　前記蓄圧式噴霧器は、容器内の内容物を吸引する吸引口を有するシリンダと、該シリンダの吸引口にて一方向のみの流通を許容するチエック弁と、該シリンダの吸引口に向けてスライド可能な中空ステムと、この中空ステムの先端部分で嵌合し、かつ、シリンダの内壁面との間で液密状態を維持したまま中空ステムとともに往復移動可能なピストンと、中空ステムの復帰動作を導き初期状態を保持する復原用弾性部材からなり、
　該ピストンに、吸引口よりシリンダに導入された内容物を中空ステムの貫通孔に流出させる通路を設け、
　この通路にバルブを配置してなり、
　該バルブは、中空ステムの押圧でチエック弁に当接して吸入口を確実に封印するステムを有する蓄圧式噴霧器。」なる構成が開示されている。
　そして、引用文献１及び引用文献２記載の発明は、本願発明と同様に噴霧器の構造に関するものであって、引用文献１記載の発明に引用文献２記載の発明における上記構成を適用することに困難性はなく、適用するにあたって中空ステムの最大押圧位置でチェック弁に当接するように特定することは、当業者が設計にあたって適宜なし得るものにすぎないことから、相違点に係る本願発明のように特定することは当業者が容易に推考し得るものである。
　
　また、本願発明を全体として検討しても、引用文献１記載の発明及び引用文献２記載の発明から予測される以上の格別の効果を奏するとも認めることができない。
　
５．むすび
　したがって、本願発明は、引用文献１記載の発明及び引用文献２記載の発明に基づいて当業者が容易に発明をすることができたものであるから、特許法第２９条第２項の規定により特許を受けることができない。
　よって、結論のとおり審決する。